(57)【要約】【課題】十分な開閉角度を有する小型なカバー開閉機構及びそのカバー開閉機構を備えた電子機器を提供することにある。【解決手段】ボディ101に対して開閉自在なカバー210の開閉機構211は、カバーの閉状態から第１の所定角度の範囲でボディに回転自在に支持され、且つカバーを第２の所定角度の範囲で回転自在に支持したリンク構造212,212a,214a,212b,214bを備えている。リンク構造が第１の所定角度の範囲で回転するときはカバーと一体的に回転し、リンク構造がカバーの閉状態から第１の所定角度を回転しきった状態では、カバーのみが第２の所定角度の範囲で回転する。これにより、カバーは２箇所の支点を持つリンク構造により開閉動作することになるので、リンク構造を特に高さ方向に小型にしても、ボディと干渉すること無く、カバーを大きく開くことができる。【選択図】図６
2007160816.tif 000002
【特許請求の範囲】
【請求項１】
ボディに対して開閉自在なカバーの開閉機構であって、
前記カバーの閉状態から第１の所定角度の範囲で前記ボディに回転自在に支持され、且つ前記カバーを第２の所定角度の範囲で回転自在に支持したリンク構造を備え、
前記リンク構造が前記第１の所定角度の範囲で回転するときは前記カバーと一体的に回転し、
前記リンク構造が前記カバーの閉状態から前記第１の所定角度を回転しきった状態では、前記カバーのみが前記第２の所定角度の範囲で回転することを特徴とするカバー開閉機構。
【請求項２】
ボディに対して開閉自在なカバーの開閉機構であって、
一端が前記ボディ側に支持された第１のヒンジと、
他端が前記カバー側に支持された第２のヒンジとを有するリンクを備え、
開動作時は、前記カバーと前記リンクが前記第１のヒンジを中心に一体的に第１の所定角度回転し、続いて前記カバーのみが前記第２のヒンジを中心に第２の所定角度回転して開状態を維持し、
閉動作時は、前記カバーのみが前記第２のヒンジを中心に第２の所定角度回転し、続いて前記カバーと前記リンクが前記第１のヒンジを中心に一体的に第１の所定角度回転して閉状態を維持することを特徴とするカバー開閉機構。
【請求項３】
前記リンクは、前記第１のヒンジを中心に開方向に前記第１の所定角度回転したときの前記カバーの自重によるモーメントと略同一のモーメントで前記カバーを開方向に付勢する付勢手段を備えていることを特徴とする請求項２に記載のカバー開閉機構。
【請求項４】
前記リンク及び前記カバーは、前記第１及び第２の所定角度回転したときに当該回転を規制する回転規制手段をそれぞれ備えていることを特徴とする請求項２又は３に記載のカバー開閉機構。
【請求項５】
前記第１及び第２のヒンジは、前記カバーが閉状態のときに前記ボディから突出しないように配設されていることを特徴とする請求項２〜４に記載のカバー開閉機構。
【請求項６】
請求項１〜５の何れか一項に記載のカバー開閉機構を備えたことを特徴とする電子機器。
【請求項７】
被記録媒体に記録する記録装置であることを特徴とする請求項６に記載の電子機器。
【発明の詳細な説明】
【技術分野】
【０００１】
本発明は、ボディに対して開閉自在なカバーの開閉機構及びそのカバー開閉機構を備えた電子機器に関する。
【背景技術】
【０００２】
通常、電子機器は、ハウジングの内部のメンテナンス作業を容易に行うことができるようにするため、ハウジングの上面に開口部が設けられている。そして、このような開口部は、メンテナンス作業時は作業が容易となるように大きく開かれ、メンテナンス作業時以外は塵や埃等が侵入しないように閉じられている必要があるため、大きな角度範囲で旋回して開口部を開閉するカバーで覆われている。
【０００３】
このカバーの開閉機構としては、例えばカバーの一端側の両端に軸を突設すると共に、開口部の一端側の両側に孔を穿設し、軸を孔に挿入することによりカバーを旋回自在に軸支持する機構が用いられている。また、例えばカバーの一端側に蝶番の一片をネジ等により固定し、開口部の一端側に蝶番の他片をネジ等により固定することにより、カバーを旋回自在に支持する機構が用いられている（特許文献１参照）。
【０００４】
【特許文献１】特開２００５−４１２１３号公報
【発明の開示】
【発明が解決しようとする課題】
【０００５】
上述した軸と孔による開閉機構や蝶番による開閉機構では、カバーの開きが中途の状態でカバーから手を離すと、カバーが自重により勢い良く閉じて破損してしまうおそれがある。また、カバーの開角度やカバーの肉厚等により、カバーとハウジングとの干渉範囲が大きくなる場合があるため、カバーとハウジングとの隙間を大きく取る必要があるが、隙間から塵や埃等が侵入し易くなり、また、隙間からハウジングの内部等が見えないようにするためにハウジングのデザイン設計面で制約が生じる。
【０００６】
そこで、これらの問題を解消するものとして所謂隠し蝶番がある。この隠し蝶番は、一端がカバーの裏面にネジ等により固定され、他端がハウジングの内面に回転自在に軸支持されていると共に捻りコイルバネにより付勢されている。ところが、上述したように、カバーは大きな角度範囲で旋回して開口部を開閉する必要があるため、隠し蝶番が大型化すると共に、ハウジング内における隠し蝶番の回転スペースを大きく取らなければならず、電子機器の小型化が困難になる。
【０００７】
本発明は、上記のような種々の課題に鑑みなされたものであり、その目的は、十分な開閉角度を有する小型なカバー開閉機構及びそのカバー開閉機構を備えた電子機器を提供することにある。
【課題を解決するための手段】
【０００８】
上記目的達成のため、本発明のカバー開閉機構では、ボディに対して開閉自在なカバーの開閉機構であって、前記カバーの閉状態から第１の所定角度の範囲で前記ボディに回転自在に支持され、且つ前記カバーを第２の所定角度の範囲で回転自在に支持したリンク構造を備え、前記リンク構造が前記第１の所定角度の範囲で回転するときは前記カバーと一体的に回転し、前記リンク構造が前記カバーの閉状態から前記第１の所定角度を回転しきった状態では、前記カバーのみが前記第２の所定角度の範囲で回転することを特徴としている。
【０００９】
即ち、一端が前記ボディ側に支持された第１のヒンジと、他端が前記カバー側に支持された第２のヒンジとを有するリンクを備え、開動作時は、前記カバーと前記リンクが前記第１のヒンジを中心に一体的に第１の所定角度回転し、続いて前記カバーのみが前記第２のヒンジを中心に第２の所定角度回転して開状態を維持し、閉動作時は、前記カバーのみが前記第２のヒンジを中心に第２の所定角度回転し、続いて前記カバーと前記リンクが前記第１のヒンジを中心に一体的に第１の所定角度回転して閉状態を維持することを特徴としている。これにより、カバーは２箇所の支点を持つリンク構造により開閉動作することになるので、リンク構造を特に高さ方向に小型にしても、ボディと干渉すること無く、カバーを大きく開くことができる。更に、リンク構造が小型となるので、ボディ内部の主要部品と干渉することは無く、主要部品のレイアウトの自由度を高めることができる。
【００１０】
また、前記リンクは、前記第１のヒンジを中心に開方向に前記第１の所定角度回転したときの前記カバーの自重によるモーメントと略同一のモーメントで前記カバーを開方向に付勢する付勢手段を備えていることを特徴としている。これにより、カバーの開きが上記第１の所定角度に達したときは、その状態を維持することができると共に、カバーの開きが上記第１の所定角度内の中途の状態でカバーから手を離しても、カバーは緩やかに閉じることになる。また、前記リンク及び前記カバーは、前記第１及び第２の所定角度回転したときに当該回転を規制する回転規制手段をそれぞれ備えていることを特徴としている。これにより、カバーを常に正確な角度で開けることができる。また、前記第１及び第２のヒンジは、前記カバーが閉状態のときに前記ボディから突出しないように配設されていることを特徴としている。これにより、ボディ全体を小型にデザイン設計することができる。
【００１１】
上記目的達成のため、本発明の電子機器では、上記各カバー開閉機構を備えたことを特徴としている。また、この電子機器は、被記録媒体に記録する記録装置であることを特徴としている。これにより、上記各作用効果を奏する電子機器又は記録装置を提供することができる。
【発明を実施するための最良の形態】
【００１２】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１３】
図１及び図２は、本発明の一実施の形態に係る記録装置の１つであるインクジェット式プリンタの外観構成の全体を斜め前方及び後方から見た斜視図、図３は、その内部構成の概略を示す斜視図、図４は、その内部構成の概略を示す断面側面図である。このインクジェット式プリンタ１００は、例えばＬ判／２Ｌ判、ハガキ、ＪＩＳ規格のＡ４判、Ａ３判ノビ、Ａ２判等のサイズの単票紙（以下、単に用紙（被記録媒体）という）にインクにより記録することができる機能を備えている。
【００１４】
このインクジェット式プリンタ１００は、図１及び図２に示すように、全体が略直方体状のハウジング（ボディ）１０１で覆われている。そして、ハウジング１０１の図１に示す上面右前側には操作部１１０が配設され、図１に示す上面左前側にはカートリッジ収納部１２０が配設されている。更に、図１に示す上面後側には第１リア給紙部１３０が配設され、図２に示す背面側には第２リア給紙部１４０が配設されている。そして、図１に示す前面側には排紙部１５０とフロント給紙部１６０が配設され、図１に示す前面右側には廃インク回収部１７０が配設されている。また、このインクジェット式プリンタ１００の内部には、図２及び図４に示す制御部１９０と、図３及び図４に示す用紙搬送部１８０並びに記録部２００が配設されている。
【００１５】
また、ハウジング１０１の上面における操作部１１０及びカートリッジ収納部１２０と第１リア給紙部１３０との間には、矩形状の開口部１０２が形成されている。この開口部１０２は、略矩形平板状のプリンタカバー（カバー）２１０によって覆われている。プリンタカバー２１０は、後端に配設されている本発明の特徴的な部分であるカバー開閉機構２１１（図５参照）により図示矢印ａ方向に回動可能に取り付けられている。ユーザは、プリンタカバー２１０を持ち上げて開口部１０２を開放することにより、開口部１０２を通して用紙搬送部１８０や記録部２００等の内部機構のメンテナンス作業等を簡易に行うことができる。尚、このカバー開閉機構２１１の詳細については後述する。
【００１６】
操作部１１０は、図１及び図２に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。
【００１７】
カートリッジ収納部１２０は、図１及び図２に示すように、印刷用の各色（本例では９色）のインクを貯留している図３及び図４に示すインクカートリッジ１２１が抜き差し可能に収納されている。このカートリッジ収納部１２０は、断面がＬ字状のカートリッジカバー１２２によって覆われている。カートリッジカバー１２２は、後端の回動軸を中心に図示矢印ｂ方向に回動可能に取り付けられている。ユーザは、カートリッジカバー１２２を持ち上げてカートリッジ収納部１２０を開放することにより、インクカートリッジ１２１を簡易に交換等することができるので、作業効率を向上させることができる。
【００１８】
第１リア給紙部１３０は、自動給紙（ＡＳＦ）用であり、図１及び図２に示すように、上方に向かって矩形状に開口した第１給紙口１３１を開閉する機能と、給紙する用紙を１枚もしくは複数枚サポートする機能を併せ持った４段構造の第１ペーパーサポート１３２を備えている。この第１ペーパーサポート１３２は、後端の回動軸を中心に図示矢印ｃ方向に回動可能に取り付けられている。この第１リア給紙部１３０で給紙される用紙は、比較的薄手の用紙（例えば、厚さ０．０８ｍｍ〜０．２７ｍｍ程度の普通紙や写真用紙等）が使用される。
【００１９】
ユーザは、インクジェット式プリンタ１００の使用前においては、第１ペーパーサポート１３２の図示手前中央に設けられた穴１３２ａに指を掛けて第１ペーパーサポート１３２を持ち上げて多段部分を引き出すことによりセッティングが完了するので、着脱式のペーパーサポートの場合に必要な保管や管理等が不要となる。更に、多段構造の第１ペーパーサポート１３２であるので、種々のサイズの給紙する用紙を確実にサポートすることができる。また、インクジェット式プリンタ１００の使用後においては、第１ペーパーサポート１３２を多段部分を押し込んで閉じることにより第１給紙口１３１を塞ぐことができるので、プリンタ本体内への埃の侵入を防止することができると共に、第１ペーパーサポート１３２をコンパクトに格納しておくことができる。
【００２０】
第２リア給紙部１４０は、手差し給紙用であり、図２に示すように、後方に向かって矩形状に開口した第２給紙口１４１を開閉する機能と、給紙する用紙を１枚サポートする機能を併せ持った２段構造の第２ペーパーサポート１４２を備えている。この第２ペーパーサポート１４２は、下端の回動軸を中心に図示矢印ｄ方向に回動可能に取り付けられている。この第２リア給紙部１４０で給紙される用紙は、第１リア給紙部１３０における搬送角度で給紙できない厚さの用紙（例えば、厚さ０．２９ｍｍ〜０．４８ｍｍ程度の画材用紙や専用紙等）が使用される。更に、第１リア給紙部１３０は自動給紙（ＡＳＦ）用であることから給紙ローラ８２で用紙をピックアップするので、この給紙ローラ８２に紙粉が付着して蓄積されると、給紙ローラ８２に滑りが生じて給紙不良を引き起こすおそれがある。そのため、紙粉が発生し易い用紙（例えば、厚さ０．４８ｍｍ程度のＶｅｌｖｅｔ  Ｆｉｎｅ  Ａｒｔ  Ｐａｐｅｒや厚さ０．４６ｍｍ程度のＵｌｔｒａ  Ｓｍｏｏｔｈ  Ｆｉｎｅ  Ａｒｔ  Ｐａｐｅｒ）についても、第２リア給紙部１４０で手差し給紙させる必要がある。
【００２１】
ユーザは、インクジェット式プリンタ１００の使用前においては、第２ペーパーサポート１４２の図示上部に指を掛けて第２ペーパーサポート１４２を押し下げて多段部分を引き出すことによりセッティングが完了するので、着脱式のペーパーサポートの場合に必要な保管や管理等が不要となる。更に、多段構造の第２ペーパーサポート１４２であるので、種々のサイズの給紙する用紙を確実にサポートすることができる。また、インクジェット式プリンタ１００の使用後においては、第２ペーパーサポート１４２を多段部分を押し込んで閉じることにより第２給紙口１４１を塞ぐことができるので、プリンタ本体内への埃の侵入を防止することができると共に、第２ペーパーサポート１４２をコンパクトに格納しておくことができる。
【００２２】
排紙部１５０は、図１に示すように、前方に向かって矩形状に開口した排紙口１５１を開閉する機能と、排紙される用紙を１枚もしくは複数枚スタックする機能を併せ持った図３に示す第１スタッカ５１と第２スタッカ５２の２段構造のスタッカ１５２を備えている。第１スタッカ５１は、第２スタッカ５２の先端側で回動軸を中心に図示矢印ｅ方向に回動可能に取り付けられている。第２スタッカ５２は、排紙口１５１に対して斜め上下に平行移動して突出・格納可能なように取り付けられている。
【００２３】
ユーザは、インクジェット式プリンタ１００の使用前においては、第１スタッカ５１の上部に指を掛け第１スタッカ５１を手前に回動させて排紙口１５１を開け、第１スタッカ５１の先端を指で摘んで引き出し第２スタッカ５２を斜め上方へ平行移動させて突出させることによりセッティングが完了するので、着脱式のスタッカの場合に必要な保管や管理等が不要となる。更に、多段構造のスタッカ１５２であるので、種々のサイズの排紙される用紙を確実に積層載置することができ、また、記録後の用紙は常に前面側から排紙されるので、ユーザは用紙を容易に取り出すことができる。また、インクジェット式プリンタ１００の使用後においては、第１スタッカ５１の先端を手で押し込むことにより第２スタッカ５２を斜め下方へ平行移動させて格納すると共に、第１スタッカ５１に手を添えて第１スタッカ５１を後方へ回動させて排紙口１５１を塞ぐことができるので、プリンタ本体内への埃の侵入を防止することができると共に、スタッカ１５２をコンパクトに格納しておくことができる。
【００２４】
フロント給紙部１６０は、手差し給紙用であり、図３に示すように、排紙口１５１におけるスタッカ１５２の上方に配設された給紙トレイ１６１を備えている。この給紙トレイ１６１は、排紙口１５１に対して水平に移動可能に設けられている。このフロント給紙部１６０で給紙される用紙は、搬送時に折り曲げることが不可能な比較的厚手の用紙（例えば、厚さ１．２ｍｍ程度のマットボード紙等）が使用される。
【００２５】
ユーザは、インクジェット式プリンタ１００の使用前においては、給紙トレイ１６１の先端を軽く押し込むことにより、給紙トレイ１６１のストッパが外れて給紙トレイ１６１が排紙口１５１から突出する。また、インクジェット式プリンタ１００の使用後においては、給紙トレイ１６１の先端を軽く押し込むことにより、給紙トレイ１６１のストッパが掛かって給紙トレイ１６１が排紙口１５１内に格納される。従って、給紙トレイ１６１の配設スペース効率を高めることができる。
【００２６】
廃インク回収部１７０は、図１〜図３に示すように、廃インク等を貯留する廃インクタンク１７１が抜き差し可能に収納されている。この廃インクタンク１７１は、記録ヘッド２０２のクリーニング処理時やインクカートリッジの交換時に廃棄される廃インク等を貯留する。ユーザは、廃インクタンク１７１に廃インク等が一杯に溜まったときは、その廃インクタンク１７１を引き出して新しい廃インクタンク１７１を差し込むのみで良いので、廃インクタンク１７１の交換作業を簡易に行うことができる。
【００２７】
用紙搬送部１８０は、図３及び図４に示すように、第１リア給紙部１３０及び第２リア給紙部１４０から排紙部１５０に掛けて配設されており、自動給紙機構１８１、搬送機構１８２、排紙機構１８３を備えている。自動給紙機構１８１は、図４に示すように、第１ペーパーサポート１３２にサポートされている用紙を給送するために持ち上げるホッパ８１、このホッパ８１により持ち上げられた用紙を取り出す給紙ローラ８２、この給紙ローラ８２により重送された用紙を１枚のみに分離するリタードローラ８３、このリタードローラ８３により分離された残りの用紙をホッパ８１へ戻す紙戻しレバー８４等を備えている。
【００２８】
ホッパ８１は、用紙が載置可能な平板状に形成されて後壁と略平行に配設されており、下端が給紙ローラ８２の近傍に位置し、上端が後壁頂部に近接して位置するように配設されている。そして、ホッパ８１は、後壁に一端が取り付けられた図示しない圧縮バネの他端が下端側の裏面に取り付けられており、この圧縮バネの伸縮により上端側を中心に下端側が旋回するように配設されている。
【００２９】
給紙ローラ８２は、断面の一部が切り欠かれたＤ字状に形成されてホッパ８１の下端近傍に配設されており、間欠的に回転してホッパ８１により持ち上げられた用紙を摩擦給送するようになっている。リタードローラ８３は、給紙ローラ８２と当接可能に配設されており、給紙ローラ８２により用紙が重送されたときに最上層の用紙のみを下層の用紙から摩擦分離するようになっている。紙戻しレバー８４は、爪状に形成されて給紙ローラ８２の近傍に配設されており、リタードローラ８３により分離された下層の用紙を爪に掛けてホッパ８１へ戻すようになっている。
【００３０】
搬送機構１８２は、図４に示すように、記録動作に同期して副走査方向に用紙を送る紙送りローラ８５とその従動ローラ８６等が配設されている。紙送りローラ８５は、プラテン２０３の搬送上流側に配設されており、給紙ローラ８２により給送される用紙を従動ローラ８６と共に挟持してプラテン２０３へ送り出すようになっている。
【００３１】
排紙機構１８３は、図４に示すように、排紙ローラ８７と第１ギザローラ８８ａ及び第２ギザローラ８８ｂ等を備えている。第１ギザローラ８８ａは、プラテン２０３の搬送下流側に配設され、第２ギザローラ８８ｂと排紙ローラ８７は、第１ギザローラ８８ａの搬送下流側に対向配設されており、プラテン２０３を通過してくる用紙を先ず第１ギザローラ８８ａで排送し、続いて第２ギザローラ８８ｂと排紙ローラ８７で挟持してスタッカ１５２上へ排紙するようになっている。尚、第１ギザローラ８８ａ及び第２ギザローラ８８ｂは、図示しない同一の保持部材により保持されている。
【００３２】
制御部１９０は、図４に示すように、プリンタコントローラを構成するメイン基板１９１を備えている。このメイン基板１９１は、図示しないＣＰＵ、ＲＯＭ、ＲＡＭ、ＡＳＩＣ等の制御素子や記憶素子、及びその他の各種回路素子が装着されている。そして、プリントエンジンを構成する用紙搬送部１８０や記録部２００等を制御するようになっている。
【００３３】
記録部２００には、図４に示すように、記録動作に同期して主走査方向に移動するキャリッジ２０１、記録動作に同期してインクを吐出する記録ヘッド２０２と、記録時の用紙を平坦に保持するプラテン２０３等が配設されている。キャリッジ２０１は、図３に示すように、プラテン２０３の上方でキャリッジガイド軸２０４に貫装されてキャリッジベルト２０５に連結されており、図示しないキャリッジモータによってキャリッジベルト２０５が作動すると、キャリッジベルト２０５の動きに連行され、キャリッジガイド軸２０４に案内されて往復移動するようになっている。
【００３４】
記録ヘッド２０２は、図４に示すように、プラテン２０３と所定の間隔が空くようにしてキャリッジ２０１に搭載されており、２種類のブラック、例えばフォトブラックとマットブラックのインクと、イエロー、シアン、ライトシアン、マゼンタ、ライトマゼンタ、グレー、レッドの７色のインクをそれぞれ吐出することができる。即ち、記録ヘッド２０２は、圧力発生室とそれに繋がるノズル開口がノズルプレートに設けられており、圧力発生室内にインクを貯留して所定圧で加圧することにより、ノズル開口から用紙に向けてコントロールされた大きさのインク滴を吐出するようになっている。プラテン２０３は、紙送りローラ８５と排紙ローラ８７の間であって記録ヘッド２０２と対向するように配設されており、搬送されてくる用紙を面支持するようになっている。次に、本発明の特徴的な部分であるカバー開閉機構２１１の詳細について、更に図を参照して説明する。
【００３５】
図５は、プリンタカバー２１０を開けたときの状態をプリンタ前面側から見た斜視図、図６〜図８は、プリンタカバー２１０が閉じた状態から開いた状態までを示す断面側面図である。カバー開閉機構２１１は、図５に示すように、第１リア給紙部１３０の両側にそれぞれ配設されており、図６に示すように、一端がハウジング１０１の上面内側に回転自在に取り付けられ、他端がプリンタカバー２１０の後端裏面に回転自在に取り付けられている。
【００３６】
このカバー開閉機構２１１は、略Ｌ字状のリンク（リンク構造）２１２と、捻りコイルバネ（付勢手段）２１３を備えている。リンク２１２は、両端に穴（リンク構造、第１、第２のヒンジ）２１２ａ、２１２ｂが形成されている。一端側の穴（リンク構造、第１のヒンジ）２１２ａは、ハウジング１０１の上面内側に設けられた軸（リンク構造、第１のヒンジ）２１４ａに挿入されて回転自在に支持されている。一方、他端側の穴（リンク構造、第２のヒンジ）２１２ｂは、プリンタカバー２１０の後端裏面に設けられた軸（リンク構造、第２のヒンジ）２１４ｂに挿入されて回転自在に支持されている。
【００３７】
更に、リンク２１２は、Ｌ字角部外側に略三角形状の突出部（回転規制手段）２１２ｃが形成されている。そして、捻りコイルバネ２１３は、ハウジング１０１の上面内側に設けられた上記軸２１４ａに挿入されている。そして、一端がハウジング１０１の上面内側に設けられた突起２１３ａに係止され、他端がリンク２１２に形成された突出部２１２ｃに係止されている。
【００３８】
このような構成により、プリンタカバー２１０は、２つの軸２１４ａ、２１４ｂを中心に回転自在であるＷヒンジ機構となっている。即ち、リンク２１２は、図６に示すプリンタカバー２１０が閉状態と図７に示すプリンタカバー２１０が半開状態との間の第１の所定角度（約９０度）θ１の範囲で回転自在に支持されている。また、プリンタカバー２１０は、図７に示す半開状態と図８に示す全開状態との間の第２の所定角度（約４５度）θ２の範囲で回転自在に支持されている。
【００３９】
そして、第１の所定角度θ１の範囲内では、プリンタカバー２１０の後端裏面に設けられたリブ（回転規制手段）２１０ａがリンク２１２の他端部（回転規制手段）２１２ｄに当接してプリンタカバー２１０の回転が規制されるようになっている。更に、プリンタカバー２１０が閉状態から第１の所定角度θ１まで回転しきって半開状態となったとき、リンク２１２は突出部（回転規制手段）２１２ｃがハウジング１０１に設けられた壁部（回転規制手段）２１５ａに当接してリンク２１２の回転が規制されるようになっている。また、プリンタカバー２１０が半開状態から第２の所定角度θ２まで回転しきって全開状態になったとき、プリンタカバー２１０の下端に設けられた縁部（回転規制手段）２１０ｂがリンク２１２の中央部（回転規制手段）２１２ｅに当接してプリンタカバー２１０の回転が規制されるようになっている。以上により、プリンタカバー２１０は、図６に示す閉状態と図７に示す半開状態との間は、リンク２１２と一体的に回転する。そして、プリンタカバー２１０は、図７に示す半開状態と図８に示す全開状態との間は、単独で回転する。
【００４０】
ここで、プリンタカバー２１０は、図７に示す半開き状態と図８に示す全開状態との間でのみリンク２１２に対して回転自在に支持されているわけではなく、リンク２１２に対して第２の所定角度θ２の範囲で回転自在に支持されている。従って、図６に示すプリンタカバー２１０が閉じた状態からプリンタカバー２１０を持ち上げると、プリンタカバー２１０はリンク２１２と共に回転せず、プリンタカバー２１０のみが第２の所定角度θ２まで回転することになる。そこで、このような現象を防止するために、捻りコイルバネ２１３が配設されている。
【００４１】
図９は、上記捻りコイルバネ２１３の作用を示す図である。この捻りコイルバネ２１３は、プリンタカバー２１０の開方向に付勢するように取り付けられており、その付勢力Ｆは、リンク２１２を含むプリンタカバー２１０の自重Ｗとの関係で設定されている。即ち、捻りコイルバネ２１３の付勢力Ｆによりプリンタカバー２１０を含むリンク２１２に作用するモーメントＭｆは、捻りコイルバネ２１３の付勢力Ｆと、リンク２１２の一端側の穴２１２ａが挿入されている軸２１４ａの中心点Ｃからリンク２１２の突出部２１２ｃと捻りコイルバネ２１３の他端との係止点Ｅまでの距離Ｄｆとの積（Ｍｆ＝Ｆ×Ｄｆ）で表される。
【００４２】
一方、リンク２１２を含むプリンタカバー２１０の自重Ｗによりプリンタカバー２１０を含むリンク２１２に作用するモーメントＭｗは、リンク２１２を含むプリンタカバー２１０の自重Ｗと、リンク２１２の一端側の穴２１２ａが挿入されている軸２１４ａの中心点Ｃからリンク２１２を含むプリンタカバー２１０の重心Ｇまでの距離Ｄｗとの積（Ｍｗ＝Ｆ×Ｄｗ）で表される。
【００４３】
ところが、上記距離Ｄｆは常に一定であることから上記モーメントＭｆも常に一定であるが、プリンタカバー２１０の閉状態と半開状態との間で上記距離Ｄｗは直線的に変化することから上記モーメントＭｗも直線的に変化することになる。そこで、モーメントＭｗが最低値のとき、即ち、プリンタカバー２１０が半開状態になったときのモーメントＭｗがモーメントＭｆと逆方向に略同一となるように、捻りコイルバネ２１３の付勢力Ｆを設定する。
【００４４】
これにより、ユーザがプリンタカバー２１０を開けるときは、開方向に働くモーメントＭｆが加わるのでプリンタカバー２１０をリンク２１２と共に容易に持ち上げて、リンク２１２の突出部２１２ｃがハウジング１０１の壁部２１５ａに当接して回転が規制されるまで回転させることができる。そして、プリンタカバー２１０が半開状態になったときにユーザがプリンタカバー２１０から手を離しても、モーメントＭｆとモーメントＭｗは開方向と閉方向に略同一に働くため、プリンタカバー２１０の半開状態を維持することができる。
【００４５】
次に、ユーザがプリンタカバー２１０を後方に押すことにより、リンク２１２は突出部２１２ｃがハウジング１０１に設けられた壁部２１５ａに当接して回転が規制されるので、プリンタカバー２１０のみを縁部２１０ｂがリンク２１２の中央部２１２ｅに当接して回転が規制されるまで後方に回転させることができる。そして、プリンタカバー２１０が全開状態になったときにユーザがプリンタカバー２１０から手を離しても、モーメントＭｆとモーメントＭｗは共に開方向に働くため、プリンタカバー２１０の全開状態を維持することができる。
【００４６】
一方、ユーザがプリンタカバー２１０を閉じるときは、プリンタカバー２１０のリブ２１０ａがリンク２１２の他端部２１２ｄに当接してプリンタカバー２１０の回転が規制されるまでプリンタカバー２１０を前方に引いて半開状態とする。更に、プリンタカバー２１０を押し下げるが、このときは閉方向に働くモーメントＭｗが加わるので、プリンタカバー２１０を容易に閉じることができる。そして、プリンタカバー２１０が閉状態になったときにユーザがプリンタカバー２１０から手を離しても、開方向に働くモーメントＭｆよりも大きいモーメントＭｗが閉方向に働いているため、プリンタカバー２１０の閉状態を維持することができる。
【００４７】
以上のように、本実施形態のカバー開閉機構２１１によれば、一端がハウジング１０１側に支持された穴２１２ａ及び軸２１４ａと、他端がプリンタカバー２１０側に支持された穴２１２ｂ及び軸２１４ｂとを有するリンク２１２を備えている。そして、プリンタカバー２１０の開動作時は、プリンタカバー２１０とリンク２１２が穴２１２ａ及び軸２１４ａを中心に一体的に第１の所定角度θ１を回転し、続いてプリンタカバー２１０のみが穴２１２ｂ及び軸２１４ｂを中心に第２の所定角度θ２を回転して開状態を維持する。一方、プリンタカバー２１０の閉動作時は、プリンタカバー２１０のみが穴２１２ｂ及び軸２１４ｂを中心に第２の所定角度θ２を回転し、続いてプリンタカバー２１０とリンク２１２が穴２１２ａ及び軸２１４ａを中心に一体的に第１の所定角度θ１を回転して閉状態を維持する。従って、プリンタカバー２１０は２箇所の支点を持つリンク構造２１２、２１２ａ、２１４ａ、２１２ｂ、２１４ｂにより開閉動作することになるので、リンク構造２１２、２１２ａ、２１４ａ、２１２ｂ、２１４ｂを特に高さ方向に小型にしても、ハウジング１０１と干渉すること無く、プリンタカバー２１０を大きく開くことができる。更に、リンク構造２１２、２１２ａ、２１４ａ、２１２ｂ、２１４ｂが小型となるので、インクジェット式プリンタ１００内部の主要部品と干渉することは無く、主要部品のレイアウトの自由度を高めることができる。
【００４８】
また、リンク２１２は、穴２１２ａ及び軸２１４ａを中心に開方向に第１の所定角度θ１を回転したときのリンク２１２を含むプリンタカバー２１０の自重ＷによるモーメントＭｗと略同一のモーメントＭｆでプリンタカバー２１０を含むリンク２１２を開方向に付勢する捻りコイルバネ２１３を備えているので、プリンタカバー２１０の開きが第１の所定角度θ１に達したときは、その状態を維持することができると共に、プリンタカバー２１０の開きが第１の所定角度θ１内の中途の状態でプリンタカバー２１０から手を離しても、プリンタカバー２１０は緩やかに閉じることになる。
【００４９】
また、リンク２１２は、第１の所定角度θ１を回転するときにプリンタカバー２１０の回転を規制する他端部２１２ｄ及び第１の所定角度θ１を回転したときに当該回転を規制する突出部２１２ｃを備え、プリンタカバー２１０は、第１の所定角度θ１を回転するときに単独回転を規制するリブ２１０ａ及び第２の所定角度θ２を回転したときに当該回転を規制する縁部２１０ｂを備えているので、プリンタカバー２１０を常に正確な角度で開けることができる。また、リンク２１２はハウジング１０１内に配設されており、穴２１２ａ、２１２ｂ及び軸２１４ａ、２１４ｂはプリンタカバー２１０を閉じた状態では外部から見えず、ハウジング１０１から突出しないように配設されているので、インクジェット式プリンタ１００全体を小型にデザイン設計することができる。
【産業上の利用可能性】
【００５０】
カバー開閉機構を備えた記録装置としてインクジェット式プリンタを例に説明したが、カバー開閉機構を備えた記録装置であれば、例えばファクシミリ装置、コピー装置等であっても適用可能である。また、記録装置に限らず、カバー開閉機構を備えた全ての電子機器にも適用可能である。
【図面の簡単な説明】
【００５１】
【図１】本発明の一実施の形態に係る記録装置の１つであるインクジェット式プリンタの外観構成の全体を斜め前方から見た斜視図である。
【図２】図１のプリンタの外観構成の全体を斜め後方から見た斜視図である。
【図３】図１のプリンタの内部構成の概略を示す斜視図である。
【図４】図１のプリンタの内部構成の概略を示す断面側面図である。
【図５】図１のプリンタのプリンタカバーを開けたときの状態をプリンタ前面側から見た斜視図である。
【図６】図５のプリンタカバーが閉じた状態から開いた状態までを示す第１の断面側面図である。
【図７】図５のプリンタカバーが閉じた状態から開いた状態までを示す第２の断面側面図である。
【図８】図５のプリンタカバーが閉じた状態から開いた状態までを示す第３の断面側面図である。
【図９】図５のプリンタカバーの捻りコイルバネの作用を示す図である。
【符号の説明】
【００５２】
１００  インクジェット式プリンタ、１０１  ハウジング、１０２  開口部、１１０  操作部、１２０  カートリッジ収納部、１３０  第１リア給紙部、１４０  第２リア給紙部、１５０  排紙部、１６０  フロント給紙部、１７０  廃インク回収部、１８０  用紙搬送部、１９０  制御部、２００  記録部、２１０  プリンタカバー、２１０ａ  リブ、２１０ｂ  縁部、２１１  カバー開閉機構、２１２  リンク、２１２ａ、２１２ｂ  穴、２１２ｃ  突出部、２１２ｄ  他端部、２１２ｅ  中央部、２１３  捻りコイルバネ、２１３ａ  突起、２１４ａ、２１４ｂ  軸、２１５ａ  壁部
【図１】
2007160816.tif 000003
【図２】
2007160816.tif 000004
【図３】
2007160816.tif 000005
【図４】
2007160816.tif 000006
【図５】
2007160816.tif 000007
【図６】
2007160816.tif 000008
【図７】
2007160816.tif 000009
【図８】
2007160816.tif 000010
【図９】
2007160816.tif 000011